(57)【要約】【課題】  給湯用耐熱管や外装管を防水パンの壁部で二分する必要がなくなって、手際よく配管施工が行え、防水パンから外部への漏水のおそれも解消できる浴槽用給湯配管の引回し構造を提供する。【解決手段】  防止パン１の底壁部１３ａに、外装管５に挿通されて給湯器３側から延びる前記耐熱管６，６を前記浴槽２側まで引き回すための配管用貫通孔８を形成し、前記貫通孔８に、前記外装管５の挿通状態で該外装管５の外周面と貫通孔８の内周面との間を液密に保持する防水スリーブ７を装着して、前記防水スリーブ７に、前記外装管５の外周面との間を液密に保持する筒形弾性ブッシング７６を具有させてある。【選択図】        図４
2006348659.tif 000002
【特許請求の範囲】
【請求項１】
洗い場と浴槽用凹所が成形されたユニットバスの防水パンの外部に配置されている給湯器から前記凹所に配置された浴槽まで給湯用耐熱管を介して給湯するための浴槽用給湯配管の引回し構造において、
前記防水パンにおける壁部には、外装管に挿通されて給湯器側から延びる前記耐熱管を前記浴槽側まで引き回すための配管用貫通孔が形成され、
前記貫通孔には、前記外装管の挿通状態で該外装管の外周面と貫通孔の内周面との間を液密に保持する防水スリーブが装着されており、
前記防水スリーブは、前記外装管の外周面との間を液密に保持する筒形弾性ブッシングが備えられていることを特徴とする浴槽用給湯配管の引回し構造。
【請求項２】
前記防水スリーブは、
前記防水パンの壁部の外面に対面する環状鍔部を有し、該壁部の外側から前記貫通孔に嵌着されるスリーブ基体と、
前記防水パンの壁部の外面と前記スリーブ基体の鍔部との間に介在されて、該スリーブ基体の内端部に外嵌される第１の環状パッキングと、
前記スリーブ基体の内端部の外周面に形成された雄ねじ部に螺合するナットと、
前記ナットと防水パンの壁部の内面との間に介在されて、前記スリーブ基体の内端部に外嵌される第２の環状パッキングと、
を備え、
前記筒形弾性ブッシングは、その基端部が前記スリーブ基体の内端部に外嵌固定され、その先端部が前記外装管の外周面に密着する状態に先細り状に形成されている請求項１に記載の浴槽用給湯配管の引回し構造。
【請求項３】
ユニットバスの防水パンの壁部の外面に対面する環状鍔部を有し、該壁部の外側から前記貫通孔に嵌着されるスリーブ基体と、
前記防水パンの壁部の外面と前記スリーブ基体の鍔部との間に介在されて、該スリーブ基体の内端部に外嵌される第１の環状パッキングと、
前記スリーブ基体の内端部の外周面に形成された雄ねじ部に螺合するナットと、
前記ナットと防水パンの壁部の内面との間に介在されて、前記スリーブ基体の内端部に外嵌される第２の環状パッキングと、
基端部が前記スリーブ基体の内端部に外嵌固定されてなる筒形弾性ブッシングとを備えてなることを特徴とする防水スリーブ。
【請求項４】
前記筒形弾性ブッシングは、その先端部が前記外装管の外周面に密着する状態に先細り状に形成されている請求項３に記載の防水スリーブ。
【発明の詳細な説明】
【技術分野】
【０００１】
この発明は、防水パンに洗い場と浴槽用凹所が一体形成されているユニットバスの設置工事に適用される浴槽用給湯配管の引回し構造及び給湯配管に用いられる防水スリーブに関する。
【背景技術】
【０００２】
一般に、ユニットバスを設置する場合、防水パンの外側の給湯機からの湯を該防水パンの内側に設置される浴槽に供給するために、外装管に挿通されたペアの給湯用耐熱管を、前記給湯器側から浴槽の循環アダプタまでに引き回す配管引回し工事を行う。
【０００３】
従来のこの種配管引回し構造では、前記耐熱管を防水パンの外側の引回し部と、防水パンの外側の引回し部とに分けてあり、両者を防水パンの側壁部で接続するようにした技術が知られている（例えば、特許文献１参照）。
【０００４】
その具体的構成を図５および図６を参照して説明する。
【０００５】
図５において、防水パン１０１の内側には、浴槽１０２が設置され、防水パン１０１の外側には、給湯機１０３が設置されている。
【０００６】
１０４，１０４は、鞘管と称される内部外装管１０５内に挿通されて、防水パン１０１の側壁部１０１ａの内側で引き回されるペアの内部耐熱管、１０６，１０６は、同じく外部外装管１０７内に挿通されて、防水パン１０１の側壁部１０１ａの外側で引き回されるペアの外部耐熱管である。
【０００７】
このように防水パン１０１の側壁部１０１ａを境にして２分されている状態の内部耐熱管１０４と外部耐熱管１０６とは、図６に示すように、防水パン１０１の側壁部１０１ａに補強金具１０８を介して固定された継ぎ手部材１０９，１０９により接続される。
【０００８】
すなわち、前記浴槽１０２における循環アダプタ１０２ａから引き回される内部耐熱管１０４，１０４が継ぎ手部材１０９，１０９に接続される一方、前記給湯機１０３から引き回される前記外部耐熱管１０６，１０６が継ぎ手部材１０９，１０９に接続されることにより、内部耐熱管１０４と外部耐熱管１０６とが実質的に接続されるのである。図中、１１０，１１１はジョイントカバーである。
【特許文献１】特開平９−４２５０号公報
【発明の開示】
【発明が解決しようとする課題】
【０００９】
しかしながら、上記した従来技術によれば、給湯用耐熱管が防水パン１０１の側壁部１０１ａを境にして内部耐熱管１０４と外部耐熱管１０６とに二分された、いわゆる「縁切り」状態となっており、当然のように、前記外装管も、防水パン１０１の側壁部１０１ａを境にして内部外装管１０５と外部外装管１０７とに二分した「縁切り」状態になっている。
【００１０】
このような「縁切り」状態であると、配管の引回し作業を行う際に、内部耐熱管１０４，１０４と外部耐熱管１０６，１０６とを前記継ぎ手部材１０９，１０９、にそれぞれ接続する作業が介在し、配管施工が手間取ることになる。
【００１１】
また、前記内部耐熱管１０４，１０４と外部耐熱管１０６，１０６との接続部が存在すると、例えば防水パン１０１の底壁部内面に溜まるような水漏れが起きた場合、その水位が接続部まで上がると、その接続部から外部に漏水するおそれがある。
【００１２】
この発明は、上記実情に鑑みてなされたものであり、給湯用耐熱管や外装管を防水パンの壁部で二分する必要がなくなって、手際よく配管施工が行え、防水パンから外部への漏水のおそれも解消できる浴槽用給湯配管の引回し構造及該引回し構造に用いられる防水スリーブを提供することを課題とする。
【課題を解決するための手段】
【００１３】
上記課題は、以下の手段によって解決される。
（１）洗い場と浴槽用凹所が成形されたユニットバスの防水パンの外側に配置されている給湯器から前記凹所に配置された浴槽まで給湯用耐熱管を介して給湯するための浴槽用給湯配管の引回し構造において、前記防水パンにおける壁部には、外装管に挿通されて給湯器側から延びる前記耐熱管を前記浴槽側まで引き回すための配管用貫通孔が形成され、前記貫通孔には、前記外装管の挿通状態で該外装管の外周面と貫通孔の内周面との間を液密に保持する防水スリーブが装着されており、前記防水スリーブは、前記外装管の外周面との間を液密に保持する筒形弾性ブッシングが備えられていることを特徴とする浴槽用給湯配管の引回し構造。
（２）前記防水スリーブは、前記防水パンの壁部の外面に対面する環状鍔部を有し、該壁部の外側から前記貫通孔に嵌着されるスリーブ基体と、前記防水パンの壁部の外面と前記スリーブ基体の鍔部との間に介在されて、該スリーブ基体の内端部に外嵌される第１の環状パッキングと、前記スリーブ基体の内端部の外周面に形成された雄ねじ部に螺合するナットと、前記ナットと防水パンの壁部の内面との間に介在されて、前記スリーブ基体の内端部に外嵌される第２の環状パッキングと、を備え、前記筒形弾性ブッシングは、その基端部が前記スリーブ基体の内端部に外嵌固定され、その先端部が前記外装管の外周面に密着する状態に先細り状に形成されている前項（１）に記載の浴槽用給湯配管の引回し構造。
（３）ユニットバスの防水パンの壁部の外面に対面する環状鍔部を有し、該壁部の外側から前記貫通孔に嵌着されるスリーブ基体と、前記防水パンの壁部の外面と前記スリーブ基体の鍔部との間に介在されて、該スリーブ基体の内端部に外嵌される第１の環状パッキングと、前記スリーブ基体の内端部の外周面に形成された雄ねじ部に螺合するナットと、前記ナットと防水パンの壁部の内面との間に介在されて、前記スリーブ基体の内端部に外嵌される第２の環状パッキングとを備えてなることを特徴とする防水スリーブ。
（４）前記筒形弾性ブッシングは、その基端部が前記スリーブ基体の内端部に外嵌固定され、その先端部が前記外装管の外周面に密着する状態に先細り状に形成されている前項（３）に記載の防水スリーブ。
【発明の効果】
【００１４】
前項（１）に記載の発明によれば、防水パンの壁部に配管用の貫通孔を形成し、配管施工にあたって前記貫通孔に防水スリーブを装着しておけば、外装管に挿通された給湯用耐熱管を該外装管と共に、防水スリーブに挿通させて、給湯機と浴槽との間を連続的に配管できる。
【００１５】
つまり、前記外装管や給湯用耐熱管を、防水パンの壁部の内部と外部とに二分する必要がなく、いわゆる「縁切り」のない状態となるから、従来のような継ぎ手部材を使って接続する工程も要らず、手際よく配管施工が達成される。
【００１６】
また、前記防水スリーブの使用によって、外装管の外周面と貫通孔の内周面との間が液密に保持されるから、例えば防水パンの底壁部内面に溜まるような水漏れが発生した場合でも、その水が前記外装管の外周面と貫通孔の内周面との隙間から外部に漏水するおれもなくなる。
【００１７】
さらに、前記防水スリーブに具備されている筒形男性ブッシングにより、外装管の外周面との間を液密に保持するから、外装管の外周面とスリーブ基体の内周面との間への水滴の侵入を阻止でき、この部位から外部への水漏れが有効に防止される。
【００１８】
前記（２）に記載の発明によれば、前記防水パンの壁部の外側から貫通孔にスリーブ基体の内端部を嵌入し、該防水パンの壁部の内側に臨出したスリーブ基体の内端部の雄ねじ部にナットを螺合すれば、前記防水スリーブを貫通孔に簡単に装着でき、しかも、その装着時に組み付けた第１および第２の環状パッキングが前記ナットによって締め付けられて、前記外装管の外周面と貫通孔の内周面との間の液密構造が簡単、かつ確実に達成される。
【００１９】
さらに、前記筒形弾性ブッシングの先細り状の先端部が前記外装管の外周面に弾性的に密着するから前記前記外装管の外周面との間の液密構造も簡単、かつ適正状態に達成される。
【００２０】
前記（３）に記載の発明によれば、前項（２）前半に記載の効果を奏する。    前記（４）に記載の発明によれば、前項（２）後半に記載の効果を奏する。
【発明を実施するための最良の形態】
【００２１】
以下、この発明の実施形態を図面に基づいて説明する。
【００２２】
図１は、この発明の実施形態にかかる浴槽用給湯配管の引回し構造が適用されたユニットバスを示す一部破断斜視図である。
【００２３】
図１において、このユニットバスは、防水パン１と、浴槽２と、給湯機３と、給湯機３から浴槽２までの給湯用配管部４とを備えている。
【００２４】
前記防水パン１は、洗い場１２と、この洗い場１２よりも段落ちした浴槽設置用凹所１３とが合成樹脂などにより一体に形成されており、複数の台座部材１１により支持された状態で床面Ｆ上に据え付けられている。
【００２５】
前記浴槽２は、前記凹所１３内に設置されており、この浴槽２の側壁部２ａには、循環アダプタ２１が装備されている。
【００２６】
前記給湯機３は、防水パン１の外部の所定個所、例えば防水パン１の側壁部１３ｂの外面に取り付けられており、生成した湯を前記配管部４を介して前記浴槽２内に供給するようになっている。なお、この給湯機３により追い焚きが可能となっている。
【００２７】
前記配管部４は、鞘管と称される合成樹脂製の外装管５と、この外装管５内に挿通された１対の耐熱管（ペア管ともいう）６，６と、防水パン１の壁部、例えば前記凹所１３の底壁部１３ａに装着された配管用の防水スリーブ７とからなる。
【００２８】
両耐熱管６，６の各一端側が前記給湯機３の所定出力ポートに接続される一方、各他端側が前記循環アダプタ２１に接続されている。
【００２９】
前記防水スリーブ７は、前記凹所１３の底壁部１３ａに形成された貫通孔８に装着されている。
【００３０】
つぎに、前記防水スリーブ７の構成を図２〜図４に基づいて説明する。
【００３１】
図２〜図４において、この防水スリーブ７は、円筒形のスリーブ基体７１と、
第１の環状パッキング７２と、ナット７３と、第２の環状パッキング７４と、環状シート部材７５と、筒形の弾性ブッシング７６と、締め付けバンド７７とを備えている。
【００３２】
前記スリーブ基体７１は、基端部に環状の鍔部７１ａが一体形成されており、その内端部７１ｃが前記凹所１３の底壁部１３ａの下面側から前記貫通孔８に嵌入されて防水パン１内に臨出するようになっている。このスリーブ基体７１の内端部７１ｃの外周面には、鍔部寄り側に位置して雄ねじ部７１ｂが形成されている。
【００３３】
なお、前記スリーブ基体７１の内径は、前記外装管５を挿通させるように、該外装管５の外径よりも僅かに大寸に設定されている。
【００３４】
前記第１の環状パッキング７２は、前記スリーブ基体７１の鍔部７１ａと前記底壁部１３ａの外面との間に介在されて、前記スリーブ基体７１の内端部７１ｃに外嵌されるものである。
【００３５】
前記ナット７３は、前記雄ねじ部７１ｂに螺合する雌ねじ部７３ａを有しており、前記スリーブ基体７１とで前記底壁部１３ａを挟着する。
【００３６】
なお、前記ナット７３の下端側には、前記環状シート７５の全周を均等的に押圧させるために、環状ワッシャ部７３ｂが一体形成されている。
【００３７】
前記第２の環状パッキング７４は、前記このナット７３と前記底壁部１３ａの内面との間に介在されて、前記スリーブ基体７１の内端部７１ｃに外嵌されるものである。
【００３８】
前記環状シート部材７５は、前記第２の環状パッキング７４と前記ナット７３との間に介在されて、前記スリーブ基体７１の内端部７１ｃに外嵌されるものである。
【００３９】
前記弾性ブッシング７６は、ゴムなどで略筒形に成形されて、前記スリーブ基体７１の内端部７１ｃの先端側に外嵌して装着されるものである。この弾性ブッシング７６の先端部７６ｂは、前記スリーブ基体７１に挿通した前記外装管５の外周面に弾性的に密着するように先細り状に形成されている。
【００４０】
前記締め付けバンド７７は、前記弾性ブッシング７６の基端部７６ａを前記スリーブ基体７１の内端部７１ｃに対して締め付けるためのものであり、例えばインシュロックタイなどからなる。勿論、前記弾性ブッシング７６の基端部７６ａが前記スリーブ基体７１の内端部７１ｃに対して強い弾性力で密着できるものであれば、この締め付けバンド７７を省略することも可能である。
【００４１】
つぎに、上記１対の耐熱管６，６や外装管５などの配管引回し手順を説明する。
【００４２】
実際の引回し作業にあたり、前記防水パン１の貫通孔８に前記防水スリーブ７を装着する。
【００４３】
その場合、まず、前記スリーブ基体７１の内端部７１ｃに第１の環状パッキング７２を外嵌してから、該スリーブ基体７１の内端部７１ｃを前記防水パン１の底壁部１３の外部から前記貫通孔８に嵌入させた状態に維持しておく。
【００４４】
なお、スリーブ基体７１の内端部７１ｃを前記防水パン１の底壁部１３の外部から貫通孔８に嵌入させる方法としては、例えば防水パン１を床面Ｆ上に設置する際に、貫通孔８から垂らしておいた紐（図示せず）を前記スリーブ基体７１に結び付けておき、防水パン１の設置状態で前記紐を介してスリーブ基体７１を引き上げて、その内端部７１ｃを前記貫通孔８に嵌入させる。そのために、前記スリーブ基体７１に、紐が結べるような孔７１ｄを形成しておくとよい。
【００４５】
この後、防水パン１の底壁部１３の内面側に突出したスリーブ基体７１の内端部７１ｃに対して、前記第２の環状パッキング７４、環状シート部材７５を順次外嵌させてから、前記ナット７３を前記スリーブ基体７１の雄ねじ部７１ｂに螺合して締め付ける。
【００４６】
これにより、前記スリーブ基体７１の鍔部７１ａと前記ナット７３とにより前記防水パン１の底壁部１３ａが挟着されて、前記スリーブ基体７１が防水パン１の底壁部１３ａに装着される。
【００４７】
そして、前記スリーブ基体７１の内端部７１ｃに前記弾性ブッシング７６の基端部７６ａを外嵌すれば、弾性ブッシング７６が装着される。さらに、この弾性ブッシング７６の基端部７６ａを前記締め付けバンド７７を使って締め付けることより、前記弾性ブッシング７６の抜け止め状態が一層堅固な状態に確保される。
【００４８】
この状態で、前記耐熱管６，６が挿通されて、前記給湯機３側から引き回された外装管５の引き出し端側を、前記防水パン１の底壁部１３ａの外側から前記スリーブ基体７１に挿通し、さらに、前記弾性ブッシング７６を挿通させてから前記浴槽２の所定位置まで引き回す。
【００４９】
そして、前記１対の耐熱管６，６の各端部を前記浴槽２における循環アダプタ２１に接続すれば、配管引回し作業が完了する。
【００５０】
このように、防水パン１の底壁部１３ａに形成した貫通孔８に前記防水スリーブ７を装着すれば、この防水スリーブ７を利用して、前記１対の耐熱管６，６と、この１対の耐熱管６，６が挿通された外装管５を防水パン１の底壁部１３ａを貫通して引き回すことができる。
【００５１】
つまり、前記耐熱管６，６や外装管５を、防水パン１の底壁部１３ａを境にして内側と外側で「縁切り」する必要がなくなり、給湯機３側から浴槽２側までの配管引回しが連続状態となり、配管施工を手早く行うことができる。
【００５２】
また、防水パン１の底壁部１３ａには、１対の耐熱管６，６の接続部もなく、さらに、外装管５も防水スリーブ７を介して底壁部１３ａを貫通させてあるから、例え前記防水パン１の底壁部１３ａの内面に漏水などで水が溜まったとしても、その水が外装管５の貫通部位から外部に漏れるおそが解消される。
【００５３】
具体的に詳しく説明すれば、前記防水パン１の底壁部１３ａの外面と前記スリーブ基体７１の鍔部７１ａとの間に第１の環状パッキング７２が介在される一方、前記防水パン１の底壁部１３ａの内面と前記ナット７３との間には、第２の環状パッキング７２が介在されているので、前記貫通孔８の内周面と前記外装管５の外周面との間の液密性が確保され、防水パン１の底壁部１３ａの内面側に水が溜まったとしても、この水が貫通孔８の内周面と前記外装管５の外周面との隙間から外部に漏洩するのが確実に阻止される。
【００５４】
また、前記スリーブ基体７１の内端部７１ｃに外嵌した弾性ブッシング７６の先端部７６ｂを先細り状に形成して前記外装管５の外周面に密着させてあるから、この弾性ブッシング７６の内周面と前記外装管５の外周面と間に水滴が侵入するのが阻止される。このことは、前記外装管５の外周面とスリーブ基体７１の内周面との隙間からの漏水を有効に防止できることになる。
【００５５】
なお、上記実施形態では、防水スリーブ７が装着される貫通孔８を防水パン１の底壁部１３ａに設けた例で説明したが、貫通孔８の形成部位は、底壁部１３ａに限られるものではなく、防水パン１の側壁部１３ｂに設けることも可能である。
【００５６】
また、前記防水スリーブ７も上記実施形態の構成に限定されるものではなく、前述した液密機能を維持できれば、種々の変形構造の採用も可能である。
【図面の簡単な説明】
【００５７】
【図１】この発明の実施形態にかかる浴槽用給湯配管の引回し構造が適用されたユニットバスを示す一部破断斜視図である。
【図２】同じく浴槽用給湯配管の引回し構造に使用された防水スリーブを示す分解斜視図である。
【図３】同じく防水スリーブの使用状態を示す斜視図である。
【図４】同じく防水スリーブの使用状態を示す断面図である。
【図５】従来の浴槽用給湯配管の引回し構造が適用されたユニットバスを示す一部破断斜視図である。
【図６】従来例における配管接続部の説明図である。
【符号の説明】
【００５８】
１・・・・・・・防水パン
２・・・・・・・浴槽
３・・・・・・・給湯機
４・・・・・・・給湯用配管部
５・・・・・・・外装管
６，６・・・・・耐熱管
７・・・・・・・防水スリーブ
８・・・・・・・貫通孔
１２・・・・・・洗い場
１３・・・・・・浴槽用凹所
１３ａ・・・・・壁部（底壁部）
７１・・・・・・スリーブ基体
７１ａ・・・・・スリーブ基体の鍔部
７１ｂ・・・・・スリーブ基体の雄ねじ部
７１ｃ・・・・・スリーブ基体の内端部
７２・・・・・・第１の環状パッキング
７３・・・・・・ナット
７３ａ・・・・・雌ねじ部
７４・・・・・・第２の環状パッキング
７６・・・・・・筒形弾性ブッシング
７６ａ・・・・・筒形弾性ブッシングの基端部
７６ｂ・・・・・筒形弾性ブッシングの先端部
【図１】
2006348659.tif 000003
【図２】
2006348659.tif 000004
【図３】
2006348659.tif 000005
【図４】
2006348659.tif 000006
【図５】
2006348659.tif 000007
【図６】
2006348659.tif 000008